(57)【要約】【解決手段】  本発明は、蓋面１２、および底部面１４を有する、たばこ材料のための、たばこ加工産業の容器１０に関する。この容器１０は、蓋面１２が底部面１４よりも小さく、その際、この蓋面１２および底部面１４が閉鎖可能であることによって改良される。更に、本発明は、たばこ加工産業における、上記の様式の容器１０の使用に関する。
2007508213.tif 000002
【特許請求の範囲】
【請求項１】
蓋面（１２）、および底部面（１４）を有する、たばこ材料のための、たばこ加工産業の容器（１０）において、
蓋面（１２）が、底部面（１４）よりも小さく、その際、この蓋面（１２）および底部面（１４）が閉鎖可能であるように構成されていることを特徴とする容器（１０）。
【請求項２】
容器（１０）は、閉鎖された状態で積み重ね可能であり、及び／または開放された状態で入れ子可能であるように構成されていることを特徴とする請求項１に記載の容器（１０）。
【請求項３】
蓋面（１２）、及び／または底部面（１４）は、閉鎖装置、及び／または封隙材を有していることを特徴とする請求項１または２に記載の容器（１０）。
【請求項４】
底部面（１４）は、脚部（１６）を有していることを特徴とする請求項１から３のいずれか一つに記載の容器（１０）。
【請求項５】
脚部（１６）は、下を通り抜け可能であるように構成されていることを特徴とする請求項４に記載の容器（１０）。
【請求項６】
脚部（１６）は、ローラー（２１）を備えていることを特徴とする請求項４または５に記載の容器（１０）。
【請求項７】
蓋面（１２）のための蓋、及び／または、底部（１４）のための底部が、多部材から成っていることを特徴とする請求項１から６のいずれか一つに記載の容器（１０）。
【請求項８】
グリップ装置（２４）、及び／または間隔要素（２５）が設けられていることを特徴とする請求項１から７のいずれか一つに記載の容器（１０）。
【請求項９】
容器（１０）は、通気孔（２６）を有していることを特徴とする請求項１から８のいずれか一つに記載の容器（１０）。
【請求項１０】
容器（１０）は、プラスチック、特にポリエチレン、またはポリプロピレンから製造されていることを特徴とする請求項１から９のいずれか一つに記載の容器（１０）。
【請求項１１】
容器（１０）の内側面は、平滑な表面を有していることを特徴とする請求項１から１０のいずれか一つに記載の容器（１０）。
【請求項１２】
請求項１から１１のいずれか一つによる、たばこ加工産業の容器（１０）の使用。
【請求項１３】
たばこ材料（１３０）を収容するための、または請求項１に従う、たばこ加工産業の容器（１０）において、
この容器（１０）が、この容器（１０）内において収容されたたばこ材料（１３０）の重量を検出するための秤量装置（１２４、１２５、１４１）を備えていることを特徴とする容器（１０）。
【請求項１４】
容器（１０）の姿勢、特に傾斜のための、姿勢検出装置（１２８．１、１２８．２）が設けられていることを特徴とする請求項１３に記載の容器（１０）。
【請求項１５】
たばこ材料（１３０）の重量の量定のための、評価ユニット（１４２、１４７）が設けられていることを特徴とする請求項１３または１４に記載の容器（１０）。
【請求項１６】
たばこ材料（１３０）の重量は、容器（１０）の検出された姿勢、特に傾斜に依存して量定可能であるように構成されていることを特徴とする請求項１４または１５に記載の容器（１０）。
【請求項１７】
基準−秤量装置（１２７）が設けられていることを特徴とする請求項１３または１５に記載の容器（１０）。
【請求項１８】
たばこ材料（１３０）の重量は、基準−秤量装置（１２７）の測定に依存して量定可能であるように構成されていることを特徴とする請求項１５または１７に記載の容器（１０）。
【請求項１９】
たばこ材料（１３０）の重量は、少なくとも１つの温度センサー（１４３）によって測定された温度に依存して量定可能であるように構成されていることを特徴とする請求項１６または１８に記載の容器（１０）。
【請求項２０】
秤量セル（１２４、１２５）は、容器（１０）の底部材（１１８、１２０、１２２）、及び／または脚部内において設けられていることを特徴とする請求項１３から１９のいずれか一つに記載の容器（１０）。
【請求項２１】
秤量装置（１２４、１２５、１４１）は、圧力センサー（１２５）、及び／または秤量セル（１２４）、及び／または圧縮ばね（１４１）を用いて構成されていることを特徴とする請求項１３から２０のいずれか一つに記載の容器（１０）。
【請求項２２】
秤量装置（１２４、１２５、１４１）、及び／または評価ユニット（１４２、１４７）は、表示域（１４８）を有していることを特徴とする請求項１３から２１のいずれか一つに記載の容器（１０）。
【請求項２３】
秤量装置（１２４、１２５、１４１）、及び／または基準−秤量装置（１２７）、及び／または姿勢検出装置（１２８．１、１２８．２）、及び／または評価ユニット（１４２）の測定データが、外部の評価装置（１４７）に対して、特に非接触に、伝達可能であるように構成されていることを特徴とする請求項１３から２２のいずれか一つに記載の容器（１０）。
【請求項２４】
容器（１０）内に収容されたたばこ材料（１３０）の重量を検出するための、たばこ加工産業の容器内における、秤量装置（１２４、１２５、１４１）の使用。
【請求項２５】
容器（１０）の姿勢、特に傾斜のための、姿勢検出装置（１２８．１、１２８．２）が設けられていることを特徴とする請求項２４に記載の使用。
【請求項２６】
たばこ材料（１３０）の重量の量定のための、評価ユニット（１４２、１４７）が設けられていることを特徴とする請求項２４または２５に記載の使用。
【請求項２７】
たばこ材料（１３０）の重量は、容器（１０）の検出された姿勢、特に傾斜に依存して量定可能であるように構成されていることを特徴とする請求項２５または２６に記載の使用。
【請求項２８】
基準−秤量装置（１２７）が設けられていることを特徴とする請求項２４または２６に記載の使用。
【請求項２９】
たばこ材料（１３０）の重量は、基準−秤量装置（１２７）の測定に依存して量定可能であるように構成されていることを特徴とする請求項２６または２８に記載の使用。
【請求項３０】
たばこ材料（１３０）の重量は、少なくとも１つの温度センサー（１４３）によって測定された温度依存して量定可能であるように構成されていることを特徴とする請求項２７または２９に記載の使用。
【請求項３１】
秤量セル（１２４、１２５、１４１）は、容器（１０）の底部材（１１８、１２０、１２２）、及び／または脚部内において設けられていることを特徴とする請求項２４から３０のいずれか一つに記載の使用。
【請求項３２】
秤量装置（１２４、１２５、１４１）は、圧力センサー（１２５）、及び／または秤量セル（１２４）、及び／または圧縮ばね（１４１）を用いて構成されていることを特徴とする請求項２４から３１のいずれか一つに記載の使用。
【請求項３３】
秤量装置（１２４、１２５、１４１）、及び／または評価ユニット（１４２、１４７）は、表示域（１４８）を有していることを特徴とする請求項２４から３２のいずれか一つに記載の使用。
【請求項３４】
秤量装置（１２４、１２５）、及び／または基準−秤量装置（１２７）、及び／または姿勢検出装置（１２８．１、１２８．２）、及び／または評価ユニット（１４２）の測定データが、外部の評価装置（１４７）に対して、特に非接触に、伝達可能であることを特徴とする請求項２４から３３のいずれか一つに記載の使用。
【発明の詳細な説明】
【技術分野】
【０００１】
本発明は、蓋面、および底部面を有する、たばこ材料のための、たばこ加工産業の容器、並びに、上記の様式の容器の使用に関する。
【背景技術】
【０００２】
たばこ加工産業において、たばこ材料、例えば刻みたばこ、たばこ薄片、未加工たばこ、たばこ支骨、膨張たばこ、発酵たばこが、容器内において集積され、および、次の処理のため、もしくはたばこの準備のための機械へと移送され、及び／または貯蔵される。この次の処理のために、このたばこ材料を有する容器は、転倒され、または傾けて空にされる。この場合、この容器が、完全に荷空けされず、且つ従って、貴重なたばこ材料が、これら容器内において後に残るということが起こる。
【０００３】
更に、米国特許第３，９３５，９５９号明細書（特許文献１）による従来技術において、たばこ材料のための直方体形状の容器が公知である。
【特許文献１】米国特許第３，９３５，９５９号明細書
【発明の開示】
【発明が解決しようとする課題】
【０００４】
従って、この公知技術を出発点として、本発明の課題は、たばこ加工産業のための容器を改良することである。
【課題を解決するための手段】
【０００５】
この課題は、蓋面、および底部面を有する、たばこ材料のための、たばこ加工産業の容器であって、この容器が、
蓋面が底部面よりも小さく、その際、この蓋面および底部面が閉鎖可能であることによって改良される上記容器によぅて解決される。本発明は、たばこ材料でもって充填された容器が、底部面の開放によって、下方へと荷空けされ、その際、この容器が、この底部面から蓋面へと先細りに形成されていることの思想に基づいている。上記のことによって、この容器の完全な荷空けが行われ、且つ、如何なる希少なたばこ材料も、この容器内において残留しないということが達成される。従来技術から公知の容器とは異なり、移送、及び／または貯蔵容器が、たばこ材料のため、即ちたばこ加工産業のために準備され、この容器が、ピラミッド形の、即ち錐体形の（konische）基本形状を有している。この場合、底部面、もしくは蓋面の基本形状は、適宜に、例えば、円形、多角形、矩形であることは可能である。
【発明の効果】
【０００６】
更に、有利な実施形態において、容器は、閉鎖された状態で積み重ね可能であり、及び／または開放された状態で入れ子可能（nestbar）である。これら容器は、従って、適宜な順序において、閉鎖された状態で重なり合って積み重ねられ、且つ、開放された状態で、自己調心状態で、重なり合って、且つ互いの中へ積み重ねられる。これら容器の入れ子可能性の特性によって、空の容器の１つの積み重ね体は、多数の容器を有する僅かな大きさの１つのパッキングピースへと縮小される。これら容器を互いの中へ積み重ねるために、これら容器が少なくとも、片側で、即ち底部において開放されている場合、十分である。蓋、および底部を同時に開放することは必要ではなく、従って、この容器は入れ子可能である。
【０００７】
更に、蓋面、及び／または底部面が、閉鎖装置、及び／または封隙材を有している場合に有利であり、従ってたばこ材料は、耐久性のある状態で、容器内において所定の時間の長さ保存される。この閉鎖装置によって、容器が移送の間、不用意に開くことは防止される。この封隙材は、蓋、及び／または容器底部の信頼性の高い閉鎖を可能にする。
【０００８】
特に、底部面が脚部を有しており、従って、容器は、移送のため、およびこの容器を下に置くために良好に取扱い可能である。
【０００９】
容器を、例えば、フォークリフトを用いて移送するために、有利には、脚部が下を通り抜け可能である。
【００１０】
本発明の更に別の有利な構成において、脚部は、ローラーを備えており、従って、容器が、走行可能、および摺動可能である。
【００１１】
改善された取扱いは、蓋面のための蓋、及び／または、底部のための底部が、多部材から成っている場合に与えられる。例えば、この蓋は、４つの蓋部材から形成されており、その際、それぞれの蓋部材が、四辺形、もしくは矩形の蓋面の１つの側に附設して設けられている。
【００１２】
有利には、容器に沿って、グリップ装置、及び／または間隔要素が設けられており、従って、この容器は、自動的、もしくは半自動的な取扱いに適している。
【００１３】
有利には、容器は、通気孔を有しており、従って、耐久性のある状態で、たばこ材料が、この容器内において保存される。何故ならば、これら通気孔を通って、このたばこ材料のために有利な環境、もしくは有利な雰囲気が、この容器内において得られるからである。
【００１４】
本発明の有利な実施形態により、容器は、プラスチック、特にポリエチレン、またはポリプロピレンから製造されている。
【００１５】
特に、容器の内側面は、平滑な表面を有しており、従って、容器の荷空けの際に、たばこ材料が、この容器の内側面に沿って付着した状態で残存しない。
【００１６】
更に、この課題は、たばこ加工産業におけるたばこ材料の移送及び／または貯蔵のための前記された容器の使用によって解決される。ここで繰返しの説明を回避するために、先に記載された本発明による容器を参照して頂きたい。
【００１７】
この課題は、更に、たばこ材料を収容するための、たばこ加工産業の容器によって解決され、この容器は、この容器がこの容器内において収容されたたばこ材料の重量を検出するための秤量装置を備えていることによって改良されている。
【００１８】
本発明による秤量装置によって、例えば、収容されたたばこ材料の分量を永続的に監視すること、および測定することが可能である。何故ならば、この収容されたたばこ材料、例えば、たばこ葉が、たばこの準備部の、異なるステーション内における取扱いによって、異なる水分含有量を有することが可能であるからである。このことによって、この容器は、たばこの準備部内において、特に、たばこ物品、即ちたばこ材料の貯蔵、および移送に適している。例えば、たばこ葉を発酵するため、または、他のプロセスの際に、物質、及び／または水蒸気が、容器内へと、収容されたたばこ材料の処理のために導入される。このことによって、このたばこ材料の重量は、増大、もしくは変化する。これら変化の、可能な確認のために、この容器内において一体にまとめられた秤量装置が使用される。従って、本発明によるたばこ容器の場合、この容器内において収容されたたばこ材料の変化プロセスは、簡単な方法で確認され得、または同様に、例えば水蒸気のような付加された物質の分量も測定され得る。
【００１９】
本発明による容器が、水平に下に置かれず、または整向されないことが起こるので、この容器の姿勢、特に傾斜のための、姿勢検出装置が設けられており、従って、容器の水平状態の正規の姿勢からの差異が検出される。容器、もしくは秤量装置の水平に整向状態に依存する差異は、更に不可避に、不正、もしくは測定誤差を誘起する。
【００２０】
特に、上記のために、たばこ材料の重量を量定するための評価ユニットが設けられている。
【００２１】
水平の正規の姿勢からの、容器傾斜の差異が、秤量結果において、影響を及ぼさないために、本発明の有利な構成により、たばこ材料の重量が、この容器の検出された姿勢、特に傾斜に依存して量定可能であり、従って、この容器の傾斜に依存する誤差が、重量測定の際に補償されることが提案される。
【００２２】
選択的な実施形態において、基準−秤量装置が、容器内に収容されたたばこ材料の秤量結果の、傾斜に依存する誤差を確認するために設けられている。
【００２３】
秤量結果の、傾斜に依存する誤差を補償するために、本発明により、たばこ材料の重量が、基準−秤量装置の測定に依存して量定可能であり、従って、秤量装置、もしくは容器の傾斜が、このたばこ材料の重量量定に対して如何なる影響も有さないことが提案される。
【００２４】
更に、たばこ材料の重量が少なくとも１つの温度センサーによって測定された温度に依存して量定可能である場合、重量の量定に対する、即ち測定に対する、温度に依存する影響量は顧慮される。この目的で、少なくとも１つの温度センサーが、容器に沿って、または内において設けられており、この温度センサーは、有利には、同様に、本発明による評価ユニットと結合されている。
【００２５】
更に、秤量装置が、容器の底部材、及び／または脚部内において設けられている場合、有利である。
【００２６】
有利には、秤量装置は、圧力センサー、及び／または秤量セル、及び／または圧縮ばねを用いて構成されている。
【００２７】
有利には、秤量装置、及び／または評価ユニットは、表示域を有しており、従って、重量測定の結果が、操作人員に表示される。
【００２８】
本発明の有利な更なる構成により、秤量装置、及び／または基準−秤量装置、及び／または姿勢検出装置、及び／または評価ユニットの測定データが、外部の評価装置に対して、特に非接触に、伝達可能であることが提案される。このことによって、容器の外側で、測定データを、中央の検出装置内において、検出および評価することが可能である。
【００２９】
更に、この課題は、容器内に収容されたたばこ材料の重量を検出するための、たばこ加工産業の容器内における、秤量装置の使用によって解決される。
使用する秤量装置、および容器の有利な構成は、先に記載されており、従って、上記の実施形態を、ここで繰返しの説明を回避するために、明確に参照して頂きたい。
【００３０】
次に、本発明を、概括的な発明の思想の限定無しに、実施例に基づいて、添付された概略的な図に関連して例示的に説明し、その際、これらの図に、その他の点では、全てのこの明細書内において詳細には説明されていない本発明の詳細な事項の開示に関連して明確に示されている。
【発明を実施するための最良の形態】
【００３１】
以下の図において、それぞれに、同じ、または同種の要素、もしくは相応する部材が、同一の参照符号でもって示されており、従って、適当な更新された観念は問題にされない。
【００３２】
図１ａ内において、容器１０の１つの横断面が図示されている。この容器１０は、傾斜された側壁１１を装備しており、これら側壁が、垂直線に対して予め設定された角度だけ傾斜された状態で設けられている。この容器１０は、更に、２つの蓋部材から成る蓋１２を有している。この蓋１２のこれら蓋部材は、旋回可能に、ヒンジ１３を中心として設けられている。
【００３３】
選択的な実施形態において、蓋１２、および底部１４が、それぞれ１つの部材から成るように形成されていることは可能であり、従って、この蓋１２、および底部１４は、溝案内部を介して容器１０に押し込まれる。選択的に、この蓋１２を１つの部材から成るように構成すること、および、緩くこの容器１０の上に載置することの可能性は存在する。
【００３４】
容器１０の底部領域は、２つの傾倒可能な底部材を有する１つの底部１４によって形成されており、これら底部材が、２つの側方に設けられたヒンジ１５を中心として旋回可能に設けられている。この底部１４は、更に、脚部１６を装備されており、従って、この容器１０を平らな面の上に置くことは可能である。
【００３５】
蓋１２の蓋部材、並びに底部１４の底部材を、信頼性高く閉鎖するために、この蓋１２、並びに底部１４に、封隙材、及び／または閉鎖装置が設けられており、これらが、この蓋１２、並びに底部１４の意図しない開放を防止する。
【００３６】
底部１４は、脚部１６でもって、この脚部１６が、例えばフォークリフトのフォークでもって、下を通り抜け可能であるように構成されている。更に、これら脚部１６は、更なる構成において、これら脚部１６内に一体にまとめられた、ローラーを装備されている。これによって、容器１０は、平らな面の上で、摺動された状態で移動され得る。
【００３７】
容器１０の容積は、有利には、ほぼ１ｍ３  である。
【００３８】
図１ｂ内において、本発明による容器１０の縦断面が図示されており、その際、側壁１７は、同様に、垂直線に対して傾斜された状態で設けられており、従って、全体で、ピラミッド形の、即ち上方へと先細りにされた形状が形成されている。
【００３９】
本発明の領域内において、蓋１２がこの蓋の蓋面でもって、および、底部１４が、この底部の底部面でもって、適宜の形状を占めることは可能である。この形状は、円形であると同様に、ポリゴン、即ち多角形であることも可能である。本発明による容器１０のために、水平方向の横断面が、この底部１４からこの蓋１２に至るまで先細りに形成されていることは重要である。この逆さまのホッパー形状によって、たばこ材料は、高い信頼性で、この容器１０内において収納され、その際、このたばこ材料の荷空けは、この底部１４の開放によって行われる。このことによって、この容器１０は完全に荷空けされ、即ち、たばこ材料の如何なる残余量もこの容器内において残らない。
【００４０】
図１ｂ内において、更に、脚部１６が、長手方向側面において貫通開口部１８を有しており、従って、グリップ要素が側方でこれら貫通開口部１８内へと挿入され得、このことによって、容器が、グリッパーまたはフォークリフトを用いて取扱い可能であることが図示されている。
【００４１】
図１ｃ内において、下からの容器１０の眺望が図示されている。この図から、底部１４の底部材が、互いに噛み合わされており、従って、このことによって、この底部１４の信頼性の高い閉鎖が達成され、且つ、この容器１０が付加的に補強されることが見て取れる。
【００４２】
図２ａおよび２ｂ内において、容器１０の更に別の特性が図示されている。図２ａは、本発明による容器１０が、他の容器１０と共に、閉鎖された状態で、積み重ね可能であることを示している。閉鎖された状態で、多数の容器は、重なり合って配置され、従って、充填された容器が、たばこ材料の次の処理のために準備される。
【００４３】
図２ｂ内において、容器１０の更に別の有利な特性が図示されており、多数の容器１０が空の、即ち開放された状態で、重なり合って、且つ互いの中へ積み重ね可能、即ち入れ子可能である。このことによって、多数の空の容器１０の、僅かなスペースを必要とする１つの積み重ね体内において、多数の容器１０が準備される。別の実施形態において、これら積み重ねられた容器１０は、蓋側で閉鎖されている。
【００４４】
有利には、容器１０は、プラスチック、特にポリエチレンまたはポリプロピレンから製造されている。これら容器１０が、木材、または金属から成ることはしかしながら同様に可能である。更に、側壁１１、１７の外側面は、ストッパー要素、もしくはグリップ要素を装備可能であり、従って、この容器１０の比較的に良好な取扱いが達成される。これら容器１０を良好に洗浄するために、これら側壁１１、１７の内側面は、平滑に形成されている。
【００４５】
図３は、容器１０の更なる構成を横断面図において示している。蓋面、並びに脚部面の確実な、且つ密な閉鎖を達成するために、傾倒可能な蓋１２の中間、および、傾倒可能な脚部１６の中間に、それぞれに、封隙材１９が設けられている。更に、これら脚部１６は、ローラー２１を装備されており、従って、この容器１０は運送に使われ得る。
【００４６】
移送の際に、これら蓋１２、およびこれら脚部１６を、高い信頼性で閉鎖するために、蓋１２および脚部１６の上に、それぞれ１つの閉鎖ロック機構２２が設けられている。
【００４７】
側壁１１の上に、外側で付加的に、グリップ２４が装着されており、このことによって、容器１０の取扱いは改善される。更に、これらグリップ２４の下方に、間隔保持具２５が設けられており、これら間隔保持具は、この容器１０を入れ子にする際に、この容器１０が締まって動かなくなることを防止する。この容器１０の側壁１１は、有利な雰囲気を収容されたたばこ材料ために準備するために、同様に更に通気孔２６をも有している。
【００４８】
図４内において、概略的に、たばこ加工産業の容器１０が横断面図において示されている。この容器１０は、側方で傾斜された側壁１１２、１１４、および蓋１１６を装備している。更に、この容器１０は、底部領域において、二重底として形成されている底部材１１８を装備している。
【００４９】
底部材１１８は、下側部材１２０および上側部材１２２を装備している。この上側部材１２２の上に、容器１０内において収容されたたばこ材料１３０が配置される。これら傾斜された側壁１１２、１１４によって、比較的に僅かな摩擦がこのたばこ材料１３０と、これら側壁１１２、１１４の内側壁との間で発生する。
【００５０】
底部材１１８内において、下側部材１２０と上側部材１２２との間に、一つまたは多数の秤量セル１２４が設けられており、従って、これら秤量セル１２４を用いて、秤量装置が形成されている。この上側部材１２２に対する、たばこ材料の重力によって作用される力に基づいて、たばこ材料１３０の重量は、これら秤量セル１２４を用いて測定され、且つ量定される。この上側部材１２２は、側壁１１２、１１４に向かっての縁部において、封隙された膜体１２６を介して、不動の下側部材１２０と結合されており、且つ従って、封隙的に閉鎖されている。このことによって、この底部材１１８の上側部材１２２は、容器１０の内側空間に対して封隙される。
【００５１】
二重壁状の底部材１１８内における秤量セル１２４は、一方の端部でもって下側部材１２０に、および、他方の端部でもって上側部材１２２に結合されている。有利には、多数の秤量セル１２４が、均等に、底部材１１８の全面にわたって、分配された状態で設けられている。
【００５２】
図５ａ内において、底部材１１８の更に別の実施例が概略的に図示されており、その際、下側部材１２０と、上側部材１２２との間に、液体が注入されており、従って、重力はこの上側部材１２２に作用し、且つ、たばこ材料１３０の重量測定が、側方で底部材１１８に設けられている圧力センサー１２５を介して行われる。
【００５３】
有利には、上側部材１２２と下側部材１２０との間に、重量測定の温度非依存性を達成するために、僅かの熱膨張係数を有する液体が注入されている。更に別の実施形態において、温度センサーを用いて、この底部材１１８内における液体の温度が検出され、これによって、重量測定の温度補償が達成される。選択的な更なる構成において、注入される液体の一定の温度を実現するために、この底部材１１８が加熱装置を装備している。
【００５４】
図５ｂ内において図示された実施例の場合、底部材１１８が一重の底部から成っており、その際、秤量セル１２４は、側方において、容器１０の脚部内に設けられている。この場合、これら秤量セル１２４は、容器１０の脚部内に、またはこの容器１０のための板の上に一体にまとめられており、その際、この板および容器１０が１つの構造的なユニットを形成している。
【００５５】
図５ｃは、底部材１１８を、横断面図において、２つの更に別の、容器１０のための秤量装置の実施形態と共に示している。上側部材１２２と下側部材１２０との間に、２つの圧縮ばね１４１が設けられている。この左側の圧縮ばね１４１は、内部の評価ユニット１４２と結合されている。この評価ユニット１４２は、付加的に、この容器１０の外側面上の、この容器１０の周囲温度を測定する温度センサー１４３の測定値を受取る。
【００５６】
図５ｃの右側の部分において、圧縮ばね１４１は、（右側の）圧縮ばね１４１の圧縮力の検出された値を受信部１４６に非接触に伝達するセンサー１４５と結合されている。この受信部１４６は、受信した値を評価ユニット１４７に対して転送する。この評価ユニット１４７は、表示域１４８を装備しており、この表示域１４８を用いてたばこ材料１３０の検出された重量が表示される。
【００５７】
図６に、透視図において、容器１０が示されており、この容器は、傾斜された側壁１１４、１１５の上に、それぞれ１つの傾斜センサー１２８．１、および１２８．２を有しており、この傾斜センサーでもって、ｘ軸線−ｚ軸線面内におけるこの容器１０の傾斜が測定される。この傾斜センサー１２８．１を用いて、ｚ軸線方向内におけるこの底部材１１８の傾斜が測定され、それに対して、この傾斜センサー１２８．２を用いて、ｘ軸線方向内におけるこの底部材１１８の傾斜が測定される。これら傾斜センサー１２８．１、１２８．２によって、例えば、この容器１０の姿勢検出装置が可能である。
【００５８】
傾斜センサー１２８．１、および１２８．２によって、底部材１１８の傾斜およびこの底部材の姿勢が、水平のｘ軸線−ｚ軸線面に関して量定され、従って、確認された傾斜に基づいて、この容器１０内において収容されたたばこ材料の重量測定が補正される。例えば、これら傾斜センサー１２８．１、１２８．２は、振り子を用いて形成され、その際、この振り子の角度状態が、センサーを介して測定される。この振り子の測定された回転角度に基づいて、秤量装置を用いて測定された重量は、それに引き続いて補正される。
【００５９】
図７に、容器１０の更に別の実施形態が横断面図において図示されており、その際、この容器１０は、図４内において示された容器とは異なり、付加的に、基準秤量セル１２７を有しており、この基準秤量セルが、底部材１１８の下側部材１２０に沿って設けられている。この秤量セル１２７は、予め設定された基準重量を備えており、従って、この基準秤量セル１２７を用いて、この容器１０、即ち底部材１１８が水平に整向されていない場合、たばこ材料１３０の正確な重量が量定される。秤量セル１２４を用いてのこのたばこ材料１３０の重量の測定、および、この基準秤量セル１２７の同時の測定に基づいて、このたばこ材料１３０の重量は、同様に水平方向に対しての底部材１１８の傾斜の状態の場合にも精密に検出可能である。
【００６０】
秤量装置、および傾斜センサー、もしくは基準秤量セルの、測定され且つ検出された測定データを評価するために、ここで図示されていない評価ユニットが設けられており、この評価ユニットを用いて、収容されたたばこ材料１３０の正確な重量が量定される。更に、この評価装置は、表示器を装備しており、この表示器を用いて、このたばこ材料１３０の測定された重量が表示される。選択的な実施形態において、検出された測定データは、外部の評価装置に、無線により、即ち非接触に伝達され、従って、この外部の評価装置を用いて、このたばこ材料の重量が量定される。
【図面の簡単な説明】
【００６１】
【図１ａ】３つの異なる眺望における、本発明による容器の図である。
【図１ｂ】３つの異なる眺望における、本発明による容器の図である。
【図１ｃ】３つの異なる眺望における、本発明による容器の図である。
【図２ａ】積み重ねられた配設における、多数の容器の図である。
【図２ｂ】互いの中へ積み重ねられた配設における、多数の容器の図である。
【図３】横断面図における、容器の図である。
【図４】概略的な横断面図における、たばこ加工産業の本発明による容器の図である。
【図５ａ】たばこ加工産業の容器の底部材内における、それぞれに別の秤量装置の実施形態の可能性の図である。
【図５ｂ】たばこ加工産業の容器の底部材内における、それぞれに別の秤量装置の実施形態の可能性の図である。
【図５ｃ】たばこ加工産業の容器の底部材内における、それぞれに別の秤量装置の実施形態の可能性の図である。
【図６】傾斜センサーを有する容器の、概略的な透視図である。
【図７】基準秤量セルを有する、本発明による容器の図である。
【符号の説明】
【００６２】
１０    容器
１１    側壁
１２    蓋
１３    ヒンジ
１４    底部
１５    ヒンジ
１６    脚部
１７    側壁
１８    貫通開口部
１９    封隙材
２１    ローラー
２２    閉鎖ロック機構
２４    グリップ
２５    間隔保持具
２６    通気孔
１１２  側壁
１１４  側壁
１１５  側壁
１１６  蓋
１１８  底部材
１２０  下側部材
１２２  上側部材
１２４  秤量セル
１２５  圧力センサー
１２６  膜体
１２７  基準秤量セル
１２８．１  傾斜センサー
１２８．２  傾斜センサー
１３０  たばこ材料
１４１  圧縮ばね
１４２  評価ユニット
１４３  温度センサー
１４５  センサー
１４６  受信部
１４７  評価ユニット
１４８  表示域
【図１ａ】
2007508213.tif 000003
【図１ｂ】
2007508213.tif 000004
【図１ｃ】
2007508213.tif 000005
【図２ａ】
2007508213.tif 000006
【図２ｂ】
2007508213.tif 000007
【図３】
2007508213.tif 000008
【図４】
2007508213.tif 000009
【図５ａ】
2007508213.tif 000010
【図５ｂ】
2007508213.tif 000011
【図５ｃ】
2007508213.tif 000012
【図６】
2007508213.tif 000013
【図７】
2007508213.tif 000014
【国際調査報告】
2007508213.tif 000015
2007508213.tif 000016
2007508213.tif 000017
2007508213.tif 000018
2007508213.tif 000019
2007508213.tif 000020
2007508213.tif 000021
2007508213.tif 000022
2007508213.tif 000023
2007508213.tif 000024